(57)【特許請求の範囲】
【請求項１】
二種類の硬さの異なるブラシ毛を切断することができるブラシ毛切断カッターにおいて、
第１の切断カッターと、
前記第１の切断カッターと硬さの異なる刃を有する第２の切断カッターと、
前記第１の切断カッターおよび第２の切断カッターが上下方向に取り付けられているとともに、前記第１の切断カッターおよび第２の切断カッターを回転させる回転孔または回転軸を備えている基板と、
から少なくとも構成されていることを特徴とするブラシ毛切断カッター。
【請求項２】
複数種類の硬さの異なるブラシ毛を切断することができるブラシ毛切断カッターにおいて、
複数の硬さの異なる切断カッターと、
前記複数の硬さの異なる切断カッターが左右方向に取り付けられているとともに、左右方向に移動させることができる取り付け孔を有する基板と、
から少なくとも構成されていることを特徴とするブラシ毛切断カッター。
【請求項３】
複数種類の硬さの異なるブラシ毛を切断することができるブラシ毛切断カッターにおいて、
複数の硬さの異なる切断カッターと、
前記複数の硬さの異なる切断カッターが取り付けられているととも、回転軸により所定角度回転移動させることができる回転基板と、
から少なくとも構成されていることを特徴とするブラシ毛切断カッター。
【請求項４】
前記切断カッターは、半円または扇型であることを特徴とする請求項３に記載されているブラシ毛切断カッター。
【請求項５】
前記切断カッターは、三角形が４個以上からなる多角形であることを特徴とする請求項３に記載されているブラシ毛切断カッター。
【請求項６】
前記基板は、駆動機構によって上下方向に移動することを特徴とする請求項１または請求項２に記載されたブラシ毛切断カッター。
【請求項７】
前記回転基板は、永久磁石または電磁石から構成されていることを特徴とする請求項３に記載されたブラシ毛切断カッター。
【発明の詳細な説明】
【技術分野】
【０００１】
本発明は、硬さが異なる多種類のブラシ毛を切断するブラシ毛切断カッターに関するものである。本発明は、複数種類の硬さの異なるブラシ毛を有するブラシをカッターの交換を行うことなく切断できるブラシ毛切断カッターに関するものである。
【背景技術】
【０００２】
現在、チャネルブラシあるいはねじりブラシの製造方法は、ブラシ毛素材が所定の寸法に切断され、所定の製造機にセッティングされた後、スイッチを押すことで、ピッカーでブラシ毛が自動的に送られ、ブラシが作製された。また、チャネルブラシは、ブラシ毛を所定寸法に切断し、そのブラシ毛の束をチャネル上に載置して、芯線を人手でチャネル内に押し込み、特に、親指で押し込むようにしていた。前記ブラシ作製方法は、自動機により作製する場合、同じ種類のブラシを大量に製造することができるが、近年、他種類のブラシが要望されるようになって来た。ユーザが要望するブラシ毛は、硬さの異なる多品種少量生産であるため、全自動機とすることが困難であった。
【０００３】
しかし、従来ブラシ毛カッターは、一種類の硬さを有するカッターが備えられており、複数の硬さの異なる刃を備えたものはなかった。
【発明の開示】
【発明が解決しようとする課題】
【０００４】
ブラシ毛切断カッターは、ブラシ毛の長さを揃えるために、上下方向に移動できる装置が生産ラインに欠くことができないものである。しかし、前記生産ラインは、硬さの異なるブラシ毛の多品種少量生産であるため、ブラシ毛切断カッターを交換する時間と手間を少なくする必要があった。
【０００５】
以上のような課題を解決するために、本発明は、ブラシ毛切断カッターの交換にできるだけ時間と手間を少なくすることができるブラシ毛切断カッターを提供することを目的とする。
【課題を解決するための手段】
【０００６】
（第１発明）
第１発明のブラシ毛切断カッターは、二種類の硬さの異なるブラシ毛を切断することができるものであり、第１の切断カッターと、前記第１の切断カッターと硬さの異なる刃を有する第２の切断カッターと、前記第１の切断カッターおよび第２の切断カッターが上下方向に取り付けられているとともに、前記第１の切断カッターおよび第２の切断カッターを回転させる回転孔または回転軸を備えている基板とから少なくとも構成されていることを特徴とする。
【０００７】
（第２発明）
第２発明のブラシ毛切断カッターは、複数種類の硬さの異なるブラシ毛を切断することができるものであり、複数の硬さの異なる切断カッターと、前記複数の硬さの異なる切断カッターが左右方向に取り付けられているとともに、左右方向に移動させることができる取り付け孔を有する基板とから少なくとも構成されていることを特徴とする。
【０００８】
（第３発明）
第３発明のブラシ毛切断カッターは、複数種類の硬さの異なるブラシ毛を切断することができるものであり、複数の硬さの異なる切断カッターと、前記複数の硬さの異なる切断カッターが取り付けられているととも、回転軸により所定角度回転移動させることができる回転基板とから少なくとも構成されていることを特徴とする。
【０００９】
（第４発明）
第４発明のブラシ毛切断カッターにおいて、第３発明における一つの切断カッターは、半円または扇型であることを特徴とする。
【００１０】
（第５発明）
第５発明のブラシ毛切断カッターにおいて、第３発明における切断カッターは、三角形が４個以上からなる多角形であることを特徴とする。
【００１１】
（第６発明）
第６発明のブラシ毛切断カッターにおいて、第１発明から第５発明の基板または回転基板は、駆動機構によって上下方向に移動することを特徴とする。
【００１２】
（第７発明）
第７発明のブラシ毛切断カッターにおいて、第１発明から第６発明の基板または前記回転基板は、永久磁石または電磁石から構成されていることを特徴とする。
【発明の効果】
【００１３】
本発明によれば、複数種類の異なる硬さを有するブラシ毛切断カッターを左右方向または所望の角度だけ回転させるだけで、簡単かつ短時間に硬さの異なるブラシ毛切断カッターを交換することができる。
【００１４】
本発明によれば、複数種類のブラシ毛切断カッターが基板または回転基板に取り付けられているため、前記基板を左右方向に、回転基板を所望角度回転させるだけであるため、手間が簡単であるだけでなく、製造ラインを止める時間を少なくすることができる。
【００１５】
本発明によれば、基板または回転基板は、予め永久磁石または電磁石とすることで、ブラシ毛切断カッターの固定手段に汎用性を持たせることができ、交換に要する手間が簡単で、かつ、交換に要する所要時間を短縮することができる。
【発明を実施するための最良の形態】
【００１６】
（第１発明）
第１発明のブラシ毛切断カッターは、カッターおよび／または被切断ブラシ毛を移動させた状態で、上下方向に複数種類の硬さの異なるブラシ毛を切断することができるものである。前記切断カッターは、硬さの異なる第１の切断カッターと第２の切断カッターとが基板に対して上下方向に取り付けられている。前記基板は、たとえば、中心に回転孔または回転軸が備えられており、第１の切断カッターまたは第２の切断カッターの内の所望のブラシ毛に合った切断カッターを下方に配置することができる。たとえば、前記ブラシ毛切断カッターは、製造ラインにおいて、切断カッターの交換を行わずに、回転するだけで、少なくとも二種類のブラシ毛に対応することが迅速にできる。
【００１７】
（第２発明）
第２発明は、切断カッターを取り付ける基板に対して左右方向に複数個が取り付けられている点で、第１発明と異なっている。前記複数個の切断カッターは、前記基板に取り付けるネジ孔以外に前記切断カッターの位置を移動できる複数の孔またはスリットが設けられている。前記切断カッターは、ブラシ毛の硬さが異なる度に位置を僅かにずらすだけで、迅速に対応することが可能になった。
【００１８】
（第３発明）
第３発明のブラシ毛切断カッターは、切断カッターを取り付ける基板が円盤であり、その中心に回転軸を有している。また、前記回転基板には、複数個の硬さの異なる切断カッターが取り付けられている。ブラシ毛切断カッターは、切断するブラシ毛の硬さが変わった場合、前記回転基板を所定角度だけ回転するだけで所望の硬さの切断カッターによって前記ブラシ毛を切断することができる。
【００１９】
（第４発明）
第４発明のブラシ毛切断カッターは、半円または円弧を有する扇型の集合で、回転基板に取り付けられている。前記ブラシ毛切断カッターは、中心の角度が３０度の円弧からなるものとした場合、前記回転基板に１２個が取り付けられることになり、多くの種類のブラシ毛に対応することが迅速にできる。
【００２０】
（第５発明）
第５発明のブラシ毛切断カッターは、第３発明の回転基板を四角以上の多角形としたものである。前記切断カッターは、四角形の場合、三角形が４個を前記回転基板に取り付けて、回転させることで、４種類の硬さの異なるブラシ毛に対応できる。
【００２１】
（第６発明）
第６発明のブラシ毛切断カッターは、第１発明から第５発明の基板または回転基板を駆動機構によって上下方向に移動される。前記基板または回転基板は、たとえば、中心軸が前記駆動機構によって上下方向に移動される結果、ブラシ毛が切断される。
【００２２】
（第７発明）
第７発明のブラシ毛切断カッターは、第１発明から第６発明の基板または前記回転基板を永久磁石または電磁石とすることで、交換を迅速で、かつ、容易に行うことができる。前記ブラシ毛切断カッターは、上下方向に移動するため、上下方向の応力が受けられる溝に嵌合させることで、ネジ等の固着手段を省略することができる。
【実施例１】
【００２３】
図１（イ）は本発明の第１実施例で、異なる硬さのカッターが上下方向に設けられた例を説明するための斜視図、（ロ）は断面図である。図１（イ）および（ロ）において、ブラシ毛切断カッター１１は、基板１２に第１の切断カッター１１１と、第２の切断カッター１１２が固定手段１１３および１１４によって固定されている。前記基板１２および／または切断カッターには、孔１３が設けられている。前記孔１３は、図示されていない上下動可能な駆動装置に、たとえば、回転固定手段１３１、たとえば、ボルトによって、回転可能に固定される。
【００２４】
第１の切断カッター１１１と第２の切断カッター１１２は、硬さが異なるものである。ブラシは、所望の工程を経た後、ブラシ毛の長さを整えるために、第１の切断カッター１１１が使用される。次に、異なる硬さのブラシ毛からなる製品が生産ラインに流れて来た場合、前記回転固定手段１３１を緩めた後、前記基板１２は、１８０度回転して、第２の切断カッター１１２が使用できる状態になる。前記切断カッター１１１と１１２の交換に要する時間と手間は、僅かであり、生産性を向上させることができる。
【実施例２】
【００２５】
図２（イ）は本発明の第２実施例で、異なる硬さのブラシ毛切断カッターを左右方向に設けた例を説明するためのもので、（ロ）は第２実施例における異なる移動手段を説明するための図である。図（イ）において、たとえば、異なる硬さの第１の切断カッター２１１、第２の切断カッター２１２、第３の切断カッター２１３は、基板１２に固定手段２１４等によって取り付けられている。前記第１切断カッター２１１から第３の切断カッター２１３は、複数個が左右方向に一体に基板１２に固定されている。図１（イ）の孔２３１は、前記基板１２を貫通するものであり、移動固定手段２３によって、図示されていない上下駆動装置に固定される。前記移動固定手段２３は、図の左右方向の孔に移動させることにより、異なる切断カッターを使用することが可能になる。
【００２６】
図２（ロ）に示す切断カッターは、刃の形状が湾曲している例であり、左右方向の移動をスリット２８と、固定手段２９とによって行っている。切断カッター２５１、２５２は、基板２６に固定手段２７によって固定されている。ブラシ毛切断カッター２１′は、スリット２８と固定手段２９によって上下駆動装置（図示されていない）に取り付けられ、ブラシ毛の硬さによって、迅速に切断カッターの位置を変えることができる。
【実施例３】
【００２７】
図３は本発明の第３実施例で、切断カッターの幅が異なる例を説明するための斜視図である。図３において、図２に示された第２実施例と異なるのは、第２実施例の第１の切断カッター２１１から第３の切断カッター２１３の幅が狭いのに対して、第３実施例の切断カッター３１１、３１２の幅は広くなっている点である。
【実施例４】
【００２８】
図４（イ）は本発明の第４実施例で、異なる硬さのカッターが回転基板に設けられた例を説明するための図、（ロ）は断面図、（ハ）は他の例を説明するためのものである。図４（イ）および（ロ）において、回転基板４２には、硬さが異なる扇型の第１の切断カッター４１１、第２の切断カッター４１２、第３の切断カッター４１３が固定手段４１４等によって固定されている。前記回転基板４２は、孔４３が設けられており、回転固定手段４３１（たとえば、ボルト）によって図示されていない上下駆動装置に回転自在に固定されている。
【００２９】
前記第１の切断カッター４１１は、ブラシ毛（図示されていない）の長さを整えた後、他のブラシ毛（図示されていない）を切断する場合、回転固定手段４３１を緩めた後、回転基板４２を１２０度回転させた後、第２の切断カッター４１２が下方に来るように設定する。前記ブラシ毛切断カッター４１は、３種類の硬さのブラシ毛を切断できるようになっている。前記ブラシ毛切断カッター４１は、扇形を正方形とすることができる。前記切断カッターの弧状を直線にすることにより達成できる。
【００３０】
図４（ハ）に示されたブラシ毛切断カッター４５は、切断カッター４５１から４５６の６個から構成されている点で、図４（イ）のものと異なっている。図４（ハ）に示されたブラシ毛切断カッターは、切断カッターの数を増減したり、または弧状を直線にして、多角形とすることもできる。
【実施例５】
【００３１】
図５（イ）および（ロ）は本発明の第５実施例で、第１実施例から第４実施例と異なる例を説明するためのものである。図５（イ）において、ブラシ毛切断カッター５１、異なる硬さの刃が一体になっている例であり、取り付け孔５３、５４により、切断カッター５１１、５１２を使い分けることができる。図５（ロ）に示されたブラシ毛切断カッター５５は、硬さの異なった切断カッター群５５１、５５２が基板５６に固定されている。前記基板５６は、図において、左右方向に移動する、いわゆるバリカン型のものである。
【実施例６】
【００３２】
図６（イ）から（ハ）は本発明の第６実施例で、第１実施例から第５実施例と異なる例を説明するためのもので、（イ）は平面図、（ロ）は底面図、（ハ）は正面図である。図６（イ）から（ハ）において、第１の切断カッター６１１および第２の切断カッター６１２は、三箇所にカッターが備えられている。すなわち、第６実施例の切断カッターは、上下運動または回転運動のいずれによっても、ブラシ毛等を切断することができる。前記第１の切断カッター６１１および第２の切断カッター６１２は、軸６１３および磁石６１４によって、それぞれが固定されている。前記磁石６１４の形状は、図６に限定するものではない。また、前記磁石６１４は、永久磁石あるいは電磁石とすることができる。
【００３３】
以上、本発明の実施例を詳述したが、本発明は、前記実施例に限定されるものではない。そして、本発明は、特許請求の範囲に記載された事項を逸脱することがなければ、種々の設計変更を行うことが可能である。切断カッター、基板、回転基板の材質、硬さ、大きさ、形状は、周知または公知のものを任意に選択することができる。また、図示されていない上下方向駆動装置は、同様に周知または公知のものを使用することができる。また、本発明は、第１実施例から第６実施例の一部の技術を互いに組み合わせることが可能である。
【００３４】
なお、実施例における切断カッターの固定手段は、ネジによるもので説明したが、ボルト・ナット、ネジ等以外にクサビ、キー、バネ等を使用した嵌合、永久磁石、電磁石等を用いることができる。
【図面の簡単な説明】
【００３５】
【図１】（イ）は本発明の第１実施例で、異なる硬さのカッターが上下方向に設けられた例を説明するための斜視図、（ロ）は断面図である。（実施例１）
【図２】（イ）は本発明の第２実施例で、異なる硬さのブラシ毛切断カッターを左右方向に設けた例を説明するためのもので、（ロ）は第２実施例における異なる移動手段を説明するための図である。（実施例２）
【図３】本発明の第３実施例で、切断カッターの幅が異なる例を説明するための斜視図である。（実施例３）
【図４】（イ）は本発明の第４実施例で、異なる硬さのカッターが回転基板に設けられた例を説明するための図、（ロ）は断面図、（ハ）は他の例を説明するためのものである。（実施例４）
【図５】（イ）および（ロ）は本発明の第５実施例で、第１実施例から第４実施例と異なる例を説明するためのものである。（実施例５）
【図６】（イ）から（ハ）は本発明の第６実施例で、第１実施例から第５実施例と異なる例を説明するためのもので、（イ）は平面図、（ロ）は底面図、（ハ）は正面図である。（実施例６）
【符号の説明】
【００３６】
１１・・・ブラシ毛切断カッター
１１１・・・第１の切断カッター
１１２・・・第２の切断カッター
１１３・・・固定手段
１１４・・・固定手段
１２・・・基板
１３・・・孔
１３１・・・回転固定手段
２１・・・ブラシ毛切断カッター
２１１・・・第１の切断カッター
２１２・・・第２の切断カッター
２１３・・・第３の切断カッター
２１４・・・固定手段
２３１・・・孔
２３・・・移動固定手段
２８・・・スリット
４１・・・ブラシ毛切断カッター
４１１・・・第１の切断カッター
４１２・・・第２の切断カッター
４１３・・・第３の切断カッター
４１４・・・固定手段
４２・・・回転基板
４３・・・孔
４３１・・・回転固定手段
【図１】
0004988528.tif 000002
【図２】
0004988528.tif 000003
【図３】
0004988528.tif 000004
【図４】
0004988528.tif 000005
【図５】
0004988528.tif 000006
【図６】
0004988528.tif 000007